(57)【要約】【課題】細い金属ロッドで製作でき、内側リングで外側リングを補強し、両方のリングで種々のデザインを実現して、外側リングの内側に閉塞部を設ける。【解決手段】平面状の座部１の両側に脚部２を固定する椅子であって、座部１と脚部２が、リング状の金属ロッドからなる外側リング５と複数の内側リング６からなり、外側リング５は、円形、楕円形、長円形、一対の円弧の両端を直線ないし曲線で連結したリング状の何れかで、内側リング６は円形リングで、内側リング６の半径は、外側リング５の曲率半径よりも小さく、外側リング５の内側には、同一平面に配置してなる複数の内側リング６が溶着されて、外側リング５と複数の内側リング６とで平面状の座部１と脚部２とを構成している。【選択図】図１
2019126666.tif 000002
【特許請求の範囲】
【請求項１】
平面状の座部と、前記座部の両側に固定され、それ自体は垂直姿勢に配置されてなる一対の脚部とを備える椅子であって、
前記座部と前記脚部の両方が、
リング状の金属ロッドからなる外側リングと複数の内側リングからなり、
前記外側リングは、円形、楕円形、長円形、一対の円弧の両端を直線ないし曲線で連結したリング状の何れかで、
前記内側リングは円形リングで、
前記内側リングの半径は、前記外側リングの曲率半径よりも小さく、
前記外側リングの内側には、同一平面に配置してなる複数の前記内側リングが溶着して固定されてなり、
前記外側リングと複数の前記内側リングとで平面状の前記座部と前記脚部とが構成されてなることを特徴とする椅子。
【請求項２】
請求項１に記載される椅子であって、
前記外側リングの内側に内接して前記内側リングが配置され、前記外側リングの内周面と、前記内側リングの外周面との近接部が溶着されてなることを特徴とする椅子。
【請求項３】
請求項１または２に記載される椅子であって、
前記内側リングが、前記外側リングに内接して配置してなる複数の内接リングと、
前記外側リングの中心部に配置してなる中心リングとを備え、
前記内接リングと前記外側リングとの近接部と、前記内接リングと前記中心リングとの近接部が局部的に溶着されて、
前記内接リングと前記中心リングとが同一平面に配置されてなることを特徴とする椅子。
【請求項４】
請求項１ないし３のいずれかに記載される椅子であって、
前記座部の底面両側に固定してなる、金属ロッドからなる一対の水平ロッドと、
一対の前記水平ロッドに上端が連結されて、下端を前記脚部の下部に連結してなる２本の金属ロッドからなるクロスロッドとを備え、
前記クロスロッドを構成する２本の金属ロッドは、上端と下端とを前記座部の反対側の端部に連結してＸ字状に配置してなることを特徴とする椅子。
【請求項５】
請求項４に記載される椅子であって、
前記座部に固定してなる第１の連結パイプと、
前記脚部に固定してなる第２の連結パイプと、
前記第１の連結パイプと前記第２の連結パイプと前記水平ロッドを貫通する止ネジと、
前記止ネジの先端にねじ込まれるナットとを備え、
前記水平ロッドは前記止ネジの貫通穴が設けられ、
前記止ネジが、第１の連結パイプと前記第２の連結パイプと前記水平ロッドとを貫通して、先端にねじ込まれるナットとで、前記第１の連結パイプと前記第２の連結パイプと前記水平ロッドとを連結して、前記座部と前記脚部と前記水平ロッドとを脱着自在に連結してなることを特徴とする椅子。
【請求項６】
請求項４または５に記載される椅子であって、
前記クロスロッドの下端が前記脚部に脱着自在に連結されてなることを特徴とする椅子。
【請求項７】
平面状の天板部と、前記天板部の両側に固定され、それ自体は垂直姿勢に配置されてなる一対の脚部とを備えるテーブルであって、
前記天板部と前記脚部の両方が、
リング状の金属ロッドからなる外側リング及び内側リングからなり、
前記外側リングは、円形、楕円形、長円形、一対の円弧の両端を直線ないし曲線で連結したリング状の何れかで、
前記内側リングは円形リングで、
前記内側リングの半径は、前記外側リングの曲率半径よりも小さく、
前記外側リングの内側には、同一平面に配置してなる複数の前記内側リングが溶着して固定されてなり、
前記外側リングと複数の前記内側リングとで平面状の前記天板部と前記脚部とが構成されてなることを特徴とするテーブル。
【請求項８】
請求項７に記載されるテーブルであって、
前記外側リングの内側に内接して前記内側リングが配置され、前記外側リングの内周面と、前記内側リングの外周面との近接部が溶着されてなることを特徴とするテーブル。
【請求項９】
請求項７または８に記載されるテーブルであって、
前記天板部の底面両側に固定してなる、金属ロッドからなる一対の水平ロッドと、
一対の前記水平ロッドに上端が連結されて、下端を前記脚部の下部に連結してなる２本の金属ロッドからなるクロスロッドとを備え、
前記クロスロッドを構成する２本の金属ロッドは、上端と下端とを前記天板部の反対側の端部に連結してＸ字状に配置してなることを特徴とするテーブル。
【請求項１０】
請求項９に記載されるテーブルであって、
前記天板部に固定してなる第１の連結パイプと、
前記脚部に固定してなる第２の連結パイプと、
前記第１の連結パイプと前記第２の連結パイプと前記水平ロッドを貫通する止ネジと、
前記止ネジの先端にねじ込まれるナットとを備え、
前記水平ロッドは前記止ネジの貫通穴が設けられ、
前記止ネジが、第１の連結パイプと前記第２の連結パイプと前記水平ロッドとを貫通して、先端にねじ込まれるナットとで、前記第１の連結パイプと前記第２の連結パイプと前記水平ロッドとを連結して、前記天板部と前記脚部と前記水平ロッドとを脱着自在に連結してなることを特徴とするテーブル。
【発明の詳細な説明】
【技術分野】
【０００１】
本発明は、金属ロッドをリング状に加工して製作してなる椅子またはテーブルに関する。
【背景技術】
【０００２】
金属パイプを加工して製作している椅子は開発されている。従来の椅子は、座部の外周枠を金属パイプとし、また金属パイプを垂直姿勢に伸びる形状として脚部としている。この構造の椅子は、座部や脚部に使用する金属パイプに強度が要求されることから、太くて曲がらない金属パイプを使用する必要があり、細い金属パイプでは製作できない。また、金属パイプを枠形状に加工して座部とするので、枠の内側には、板材や棒材を固定して、クッション材などを載せる閉塞部を設ける必要がある。また、座部の四隅に１本の金属パイプを垂直姿勢に固定して脚部とするので、脚部のデザインも制限され、種々の審美性を実現するデザインを実現できない欠点がある。
【先行技術文献】
【特許文献】
【０００３】
【特許文献１】実用新案登録第３０８１０６２号
【特許文献２】実用新案登録第３０６７３１２号
【発明の概要】
【発明が解決しようとする課題】
【０００４】
本発明は、従来の以上の椅子の欠点を解消することを目的として開発されたもので、本発明の大切な目的は、従来の太い金属パイプに代わって、細い金属ロッドで製作できると共に、座部や天板部や脚部を、外側リングの内側に複数の内側リングを同一平面に溶着する独特の構造によって、内側リングで外側リングを補強しながら、両方のリングで種々のデザインとし、さらに、外側リングの内側に同一平面に固定する内側リングで、外側リングを補強しながら、外側リングの内側に閉塞部を設けることができる椅子またはテーブルとを提供することにある。
【課題を解決するための手段及び発明の効果】
【０００５】
本発明の椅子は、平面状の座部１と、座部１の両側に固定され、それ自体は垂直姿勢に配置されてなる一対の脚部２とを備えている。座部１と脚部２は、その両方がリング状の金属ロッドからなる外側リング５と複数の内側リング６からなる。外側リング５は、円形、楕円形、長円形、一対の円弧の両端を直線ないし曲線で連結したリング状の何れかで、内側リング６は円形リングで、内側リング６の半径は、外側リング５の曲率半径よりも小さく、外側リング５の内側には、同一平面に配置してなる複数の内側リング６が溶着して固定されており、外側リング５と複数の内側リング６とで平面状の座部１と脚部２とを構成している。
【０００６】
以上の椅子は、従来の椅子のように、太い金属パイプを使用することなく細い金属ロッドで製作できる特徴がある。さらに、本発明の椅子は、座部と脚部を、外側リングの内側に同一平面に複数の内側リングを溶着する独特の構造としているので、外側リングの内側に溶着している複数の内側リングでもって外側リングを内側から補強し、さらに、この独特の構造によって、細い金属ロッドを使用しながら、座部と脚部とを充分な強度にできる特徴がある。さらにまた、外側リングと内側リングとからなる複数のリングで座部と脚部とを構成するので、外側リングと内側リングとの組み合わせ、とくに、内側リングの個数、大きさ、連結状態等を変更することで、座部と脚部とを種々のデザインにできる特徴がある。また、外側リングの内側に複数の内側リングを同一平面に溶着する構造によって、内側リングが外側リングを補強することに加えて、外側リングの内側に閉塞部を設けることができるので、従来の椅子のように、外側リングの内側に、閉塞部を設ける必要がなく、内側リングを閉塞部に併用しながら、外側リングを補強できる特徴も実現する。
【０００７】
また、本発明の椅子は、外側リング５の内側に内接して内側リング６を配置し、外側リング５の内周面と、内側リング６の外周面との近接部を溶着することができる。
【０００８】
さらに、本発明の椅子は、内側リング６が、外側リング５に内接して配置してなる複数の内接リング７と、外側リング５の中心部に配置してなる中心リング８とを備え、内接リング７と外側リング５との近接部と、内接リング７と中心リング８との近接部を局部的に溶着して、内接リング７と中心リング８とを同一平面に配置することができる。
【０００９】
さらに、本発明の椅子は、座部１の底面両側に固定してなる、金属ロッドからなる一対の水平ロッド１０と、一対の水平ロッド１０に上端が連結されて、下端を脚部２の下部に連結してなる２本の金属ロッドからなるクロスロッド１１とを備えることができる。クロスロッド１１を構成する２本の金属ロッドは、上端と下端とを座部１の反対側の端部に連結してＸ字状に配置することができる。
【００１０】
以上の椅子は、水平ロッドとＸ字状のクロスロッドとで脚部を充分な強度として、座部の大きな荷重で脚部が倒れるのを確実に阻止できる特徴がある。とくに、水平ロッドとクロスロッドとからなる簡単な構造で、脚部の強度を著しく向上できる特徴がある。
【００１１】
さらに、本発明の椅子は、座部１に固定してなる第１の連結パイプ１２Ａと、脚部２に固定してなる第２の連結パイプ１２Ｂと、第１の連結パイプ１２Ａと第２の連結パイプ１２Ｂと水平ロッド１０を貫通する止ネジ１３と、止ネジ１３の先端にねじ込まれるナット１４とを備えて、水平ロッド１０には止ネジ１３の貫通穴１０ａを設けることができる。この椅子は、止ネジ１３が、第１の連結パイプ１２Ａと第２の連結パイプ１２Ｂと水平ロッド１０とを貫通して、先端にねじ込まれるナット１４とで、第１の連結パイプ１２Ａと第２の連結パイプ１２Ｂと水平ロッド１０とを連結して、座部１と脚部２と水平ロッド１０とを脱着自在に連結することができる。
【００１２】
以上の椅子は、止ネジからナットを外して、脚部と座部とを分離して、コンパクトに梱包し、また輸送できる特徴がある。
【００１３】
さらに、本発明の椅子は、クロスロッド１１の下端を脚部２に脱着自在に連結することができる。
【００１４】
以上の椅子は、クロスロッドと脚部とを分離して、さらにコンパクトに梱包して輸送できる特徴がある。
【００１５】
本発明のテーブルは、平面状の天板部２０と、天板部２０の両側に固定され、それ自体は垂直姿勢に配置されてなる一対の脚部２とを備えている。天板部２０と脚部２は、その両方が、リング状の金属ロッドからなる外側リング５及び内側リング６からなる。外側リング５は、円形、楕円形、長円形、一対の円弧の両端を直線ないし曲線で連結したリング状の何れかで、内側リング６は円形リングで、内側リング６の半径は、前記外側リング５の曲率半径よりも小さく、外側リング５の内側には、同一平面に配置してなる複数の前記内側リング６が溶着して固定されており、外側リング５と複数の内側リング６とで平面状の天板部２０と脚部２とを構成している。
【００１６】
以上のテーブルは、従来のテーブルのように、太い金属パイプを使用することなく細い金属ロッドで製作できる特徴がある。さらに、本発明のテーブルは、天板部と脚部を、外側リングの内側に同一平面に複数の内側リングを溶着する独特の構造としているので、外側リングの内側に溶着している複数の内側リングでもって外側リングを内側から補強し、さらに、この独特の構造によって、細い金属ロッドを使用しながら、天板部と脚部とを充分な強度にできる特徴がある。さらにまた、外側リングと内側リングとからなる複数のリングで天板部と脚部とを構成するので、外側リングと内側リングとの組み合わせ、とくに、内側リングの個数、大きさ、連結状態等を変更することで、天板部と脚部とを種々のデザインにできる特徴がある。また、外側リングの内側に複数の内側リングを同一平面に溶着する構造によって、内側リングが外側リングを補強することに加えて、外側リングの内側に閉塞部を設けることができるので、従来のテーブルのように、外側リングの内側に、閉塞部を設ける必要がなく、内側リングを閉塞部に併用しながら、外側リングを補強できる特徴も実現する。
【００１７】
また、本発明のテーブルは、外側リング５の内側に内接して内側リング６を配し、外側リング５の内周面と、内側リング６の外周面との近接部を溶着することができる。
【００１８】
さらに、本発明のテーブルは、天板部２０の底面両側に固定してなる、金属ロッドからなる一対の水平ロッド１０と、一対の水平ロッド１０に上端が連結されて、下端を脚部２の下部に連結してなる２本の金属ロッドからなるクロスロッド１１とを備えて、クロスロッド１１を構成する２本の金属ロッドを、上端と下端とを天板部２０の反対側の端部に連結してＸ字状に配置することができる。
【００１９】
以上テーブルは、水平ロッドとＸ字状のクロスロッドとで脚部を充分な強度として、天板部の大きな荷重で脚部が倒れるのを確実に阻止できる特徴がある。とくに、水平ロッドとクロスロッドとからなる簡単な構造で、脚部の強度を著しく向上できる特徴がある。
【００２０】
さらに、本発明のテーブルは、天板部２０に固定してなる第１の連結パイプ１２Ａと、脚部２に固定してなる第２の連結パイプ１２Ｂと、第１の連結パイプ１２Ａと第２の連結パイプ１２Ｂと水平ロッド１０を貫通する止ネジ１３と、止ネジ１３の先端にねじ込まれるナット１４とを備えて、水平ロッド１０には止ネジ１３の貫通穴１０ａを設けることができる。このテーブルは、止ネジ１３が、第１の連結パイプ１２Ａと第２の連結パイプ１２Ｂと水平ロッド１０とを貫通して、先端にねじ込まれるナット１４とで、第１の連結パイプ１２Ａと第２の連結パイプ１２Ｂと水平ロッド１０とを連結して、天板部２０と脚部２と水平ロッド１０とを脱着自在に連結することができる。
【００２１】
以上のテーブルは、止ネジからナットを外して、脚部と天板部とを分離して、コンパクトに梱包し、また輸送できる特徴がある。
【図面の簡単な説明】
【００２２】
【図１】本発明の一実施形態にかかる椅子の斜視図である。
【図２】図１に示す椅子の分解斜視図である。
【図３】図１に示す椅子の側面図である。
【図４】図１に示す椅子の正面図である。
【図５】図１に示す椅子の平面図である。
【図６】座部の他の一例を示す平面図である。
【図７】座部の他の一例を示す平面図である。
【図８】座部と水平ロッドと脚部と肘掛け部の連結構造を示す拡大断面図である。
【図９】座部と水平ロッドと脚部と肘掛け部の連結構造を示す分解斜視図である。
【図１０】クロスロッドと脚部の連結構造を示す拡大断面図である。
【図１１】座部と背もたれ部の連結構造を示す拡大断面図である。
【図１２】本発明の一実施形態にかかるテーブルの斜視図である。
【図１３】図１２に示すテーブルの分解斜視図である。
【図１４】外側リングと複数の内側リングで構成されるプレートの他の一例を示す平面図である。
【図１５】外側リングと複数の内側リングで構成されるプレートの他の一例を示す平面図である。
【図１６】外側リングと複数の内側リングで構成されるプレートの他の一例を示す平面図である。
【図１７】外側リングと複数の内側リングで構成されるプレートの他の一例を示す平面図である。
【図１８】外側リングと複数の内側リングで構成されるプレートの他の一例を示す平面図である。
【図１９】外側リングと複数の内側リングで構成されるプレートの他の一例を示す平面図である。
【図２０】外側リングと複数の内側リングで構成されるプレートの他の一例を示す平面図である。
【図２１】外側リングと複数の内側リングで構成されるプレートの他の一例を示す平面図である。
【図２２】外側リングと複数の内側リングで構成されるプレートの他の一例を示す平面図である。
【図２３】外側リングと複数の内側リングで構成されるプレートの他の一例を示す平面図である。
【発明を実施するための形態】
【００２３】
以下、本発明の実施例を図面に基づいて説明する。ただし、以下に示す実施例は、本発明の技術思想を具体化するための椅子またはテーブルを例示するものであって、本発明は椅子またはテーブルを以下のものに特定しない。さらに、この明細書は、特許請求の範囲に示される部材を、実施例の部材に特定するものでは決してない。
【００２４】
図１ないし図５に示す椅子１００は、平面状の座部１と、座部１の両側に垂直姿勢に固定している一対の脚部２とを備える。さらに、これ等の図に示す椅子１００は、背もたれ部３と肘掛け部４も設けている。座部１と脚部２と背もたれ部３は、リング状の金属ロッドからなる外側リング５と内側リング６とからなり、外側リング５の内側に複数の内側リング６を溶着して固定している。図の椅子１００は、座部１と脚部２の外側リング５を円形として、その内側に円形の内側リング６を溶接している。なお、本明細書において、溶着とは、溶接を含む広い意味で使用する。座部１の外側リング５は、図６に示す楕円形、あるいは図示しないが長円形、あるいはまた図７に示すように、一対の円弧５ａの両端を直線または曲線５ｂで連結したリング状とすることもできる。
【００２５】
円形の外側リング５と内側リング６は、金属ロッドを湾曲する形状に曲げ加工し、その両端を溶接してリング状に連結して製作される。外側リング５と内側リング６は、同じ太さの金属ロッドで製作される。外側リング５と内側リング６の金属ロッドは、断面形状を円形とする中空でない金属線が適している。中空でない金属ロッドは、金属パイプに比較して所定の曲率半径のリング状に簡単に曲げ加工でき、また細くして充分な強度を実現できる特徴がある。この金属ロッドは、たとえば外径を５ｍｍ〜８ｍｍ、好ましくは外径を約６ｍｍとする鉄又は鉄合金の丸棒である。ただし、外側リング５は内側リング６よりも太い金属ロッドで製作することもでき、また金属ロッドは断面形状を四角形や多角形、あるいは楕円形とする金属線材も使用できる。
【００２６】
内側リング６は、外側リング５の内側に内接して同一平面に配置され、外側リング５の内周面と内側リング６の外周面との近接部を溶着して平面状に連結される。図１〜図５の椅子１００は、外側リング５の内側に複数の内側リング６を円形に配置して、外側リング５の内周面と内側リング６の外周面との近接部を溶着している。さらに、図の椅子１００は、複数の内側リング６を、内接リング７と中心リング８とで構成して、内接リング７を外側リング５に内接して配置し、中心リング８を外側リング５の中心部に配置し、外側リング５と内接リング７との近接部を局部的に溶着し、さらに、内接リング７と中心リング８との近接部も局部的に溶着して、外側リング５と内接リング７と中心リング８とを同一平面に配置して、平面状に連結している。
【００２７】
外側リング５の内側に複数の内側リング６を配置するので、内側リング６の半径は、外側リング５の曲率半径よりも小さい。内側リング６は外側リング５の内側に同一平面に配置され、外側リング５の内周面と内側リング６の外周面とが近接部で局部的に溶着されて、外側リング５と複数の内側リング６とで平面状の座部１と脚部２を構成する。
【００２８】
肘掛け部４は、金属ロッドを湾曲する形状に曲げ加工してなる複数の円形リング９が互いに溶着して連結されている。図の肘掛け部は、３個の円形リング９が、外周面で互いに接するように溶着されて平面状に連結されると共に、他の円形リング９が積層状態で配置されて、積層部分を溶着して固定されている。
【００２９】
図１ないし図５の椅子１００は、座部１の底面両側に、脚部２と肘掛け部４とを連結し、さらに、両側の脚部２を倒れない強度とするために、金属ロッドからなる一対の水平ロッド１０を連結している。水平ロッド１０はクロスロッド１１に連結されて、脚部２を倒れない強度に補強している。水平ロッド１０は、その両端部に、椅子１００の横方向に伸びる２本の連結パイプ１２を互いに平行な姿勢で水平面内に位置するように連結しており、各々の連結パイプ１２を介して、座部１と脚部２と肘掛け部４とを連結する。複数の連結パイプ１２を介して、座部１と脚部２と肘掛け部４とを連結する椅子１００は、座部１と脚部２と肘掛け部４とを強固に連結できる。
【００３０】
図８及び図９は、第１〜第３の連結パイプ１２の連結構造を示す断面図及び分解斜視図である。これらの図に示す椅子１００は、座部１を第１の連結パイプ１２Ａを介して水平ロッド１０に、脚部２を第２の連結パイプ１２Ｂを介して水平ロッド１０に、肘掛け部４を第３の連結パイプ１２Ｃを介して水平ロッド１０に連結している。座部１には第１の連結パイプ１２Ａが溶着され、脚部２には第２の連結パイプ１２Ｂが溶着され、肘掛け部４には第３の連結パイプ１２Ｃが溶着されて固定されている。第１の連結パイプ１２Ａは、座部１の外側リング５の下面に溶着され、第２の連結パイプ１２Ｂは脚部２の外側リング５の内側面に溶着され、第３の連結パイプ１２Ｃは肘掛け部４を構成する円形リング９に溶着している。第１〜第３の連結パイプ１２は、直線状に並べられて、水平ロッド１０を貫通する止ネジ１３に挿通している。水平ロッド１０は、止ネジ１３を貫通させる貫通穴１０ａが設けられている。第１〜第３の連結パイプ１２と水平ロッド１０とを貫通する止ネジ１３は、先端にナット１４をねじ込んで、第１〜第３の連結パイプ１２を直線状に連結し、さらにこれ等の連結パイプ１２に水平ロッド１０を固定する。
【００３１】
図８と図９に示す連結構造の椅子１００は、ナット１４を外し、止ネジ１３を引き抜いて第１〜第３の連結パイプ１２を分離し、さらに水平ロッド１０も分離できるので、座部１と脚部２と肘掛け部４と、クロスロッド１１を溶着している水平ロッド１０とを分解してコンパクトに梱包できる。したがって、梱包のコストと輸送コストを安くでき、ユーザーが簡単に組み立てできる特徴がある。ただし、本発明の椅子は、図示しないが、水平ロッドに座部と脚部と肘掛け部とを溶着して分離できない構造で連結することもできる。また、水平ロッドを使用することなく、座部と脚部と肘掛け部とを局部的に接近させて近接部を溶着して固定することもできる。座部と脚部と肘掛け部とを直接に溶着する椅子は、座部と脚部と肘掛け部とを複数カ所で接近させて、複数の近接部を溶着して強固に固定できる。
【００３２】
座部１の両側に配置される各々の水平ロッド１０は、クロスロッド１１の上端を固定している。クロスロッド１１はＸ字状に配置している２本の金属ロッドからなる。各々のクロスロッド１１は、上端を水平ロッド１０に溶着して、下端を脚部２の下部に連結している。クロスロッド１１の下端は、図２及び図１０に示すように、上端を連結している座部１の反対側にある脚部２の下部に連結している。クロスロッド１１の下端は、脚部２の下端に、脚部２の幅方向、すなわち前後に伸びるように溶着している横バー１５に連結される。横バー１５とクロスロッド１１は、横バー１５を貫通する第２の止ネジ１６を介して連結される。第２の止ネジ１６は、横バー１５を貫通し、クロスロッド１１の下端部に、軸方向に伸びるように設けている雌ねじ孔１１ａにねじ込まれて、横バー１５とクロスロッド１１とを連結する。この構造は、第２の止ネジ１６を外して、クロスロッド１１を横バー１５から分離できる。横バー１５から分離されるたクロスロッド１１は、脚部２から分離してコンパクトに梱包できる。
【００３３】
さらに、図１〜図５に示す椅子１００は、座部１の後部に背もたれ部３を連結している。背もたれ部３は、図２と図１１に示すように、脱着自在に座部１に連結している。背もたれ部３は、座部１の幅方向の中心部に溶着している中央パイプ１７の後端に、第３の止ネジ１９を介して脱着自在に連結している。中央パイプ１７は、座部１の外側リング５と内側リング６の下面に溶着して固定される。図の椅子１００は、座部１の中央部に互いに平行な姿勢で、複数の（図において４本）の中央パイプ１７を固定している。背もたれ部３は、各々の中央パイプ１７に連結するために、外側リング５と内側リング６の背面に垂直パイプ１８を溶着している。第３の止ネジ１９は、垂直パイプ１８の下端部を貫通して、中央パイプ１７の後端に設けた雌ねじ孔１７ａにねじ込まれて、背もたれ部３を座部１に連結する。以上の椅子１００は、複数本の垂直パイプ１８と中央パイプ１７を介して座部１の背面に連結されるので、強い曲げ強度で座部１に連結できる特徴がある。また、第３の止ネジ１９を外して背もたれ部３も座部１から分離できるので、背もたれ部３も分解してコンパクトに梱包できる特徴がある。以上の椅子１００は、座部１の下面に複数の中央パイプ１７を固定して、中央パイプ１７で座部１を底面から補強する。したがって、ユーザーが座って体重を支える座面を、細い金属ロッドで製作して充分な強度を実現できる特徴がある。とくに、中央パイプ１７は、背もたれ部３を連結するために設けて、これを座部１の補強に併用するので、座部１を補強するための目的で専用の金属ロッドを固定する必要がなく、座部１の構造を簡単にできる特徴がある。
【００３４】
以上の椅子１００は、座部１、脚部２、及び背もたれ部３を同じ形状とすることで、座部１と脚部２と背もたれ部３とを能率よく多量生産できる特徴がある。ただ、本発明の椅子は、座部と脚部と背もたれ部を全てを同じ形状とすることなく、各々を異なる形状とし、あるいは何れかを同じ形状として、他を異なる形状とすることもできる。とくに、本発明の椅子は、座部１と脚部２とを外側リング５に複数の内側リング６を固定する形状とするが、背もたれ部３は、必ずしも外側リング５に内側リング６を連結する形状とする必要はなく、たとえば、肘掛け部４と同様に、同じ外径や異なる外径である複数の円形リング９を連結する形状とし、あるいは円形リングを使用しない形状とすることもできる。また、肘掛け部を、座部や脚部と同様に外側リングに複数の内側リングを固定する形状とすることもできる。
【００３５】
図１２及び図１３は、天板部２０の両側に脚部２を固定しているテーブル２００を示す。テーブル２００は、前述の椅子１００の座部１が天板部２０に相当し、肘掛け部４と背もたれ部３とを除いたもので、天板部２０と脚部２の連結構造は椅子１００と同じである。テーブル２００の天板部２０は、前述した椅子１００と同様に外側リング５を円形とすることができるが、長円形状として横幅を広くできる。図１２と図１３に示す天板部２０は、一対の半円の両端を直線で連結した長円形のリング状とするが、一対の円弧の両端を曲線で連結するリング状とし、あるいは楕円形とすることもできる。
【００３６】
以上の椅子１００とテーブル２００は、座部１と脚部２と天板部２０を、外側リング５と内側リング６とで構成して、外側リング５の内側に複数の内側リング６を連結する形状とするが、座部１、脚部２、天板部２０、肘掛け部４、背もたれ部３等の金属ロッドからなるプレートは、外側リング５と内側リング６を以下の形状とすることもできる。
【００３７】
図１４のプレート３０は、円形の外側リング５の内側に、同じ外径である複数の内側リング６を配置して、外側リング５と内側リング６との近接部と、内側リング６同士の近接部を局部的に溶着している。この形状のプレート３０は、同じ外径の内側リング６を使用するので、内側リング６を能率よく多量生産して製造コストを低減できる。また、同じ外径の内側リング６を使用するので、スッキリとバランスの良いデザインにできる特徴がある。
【００３８】
図１５のプレート３０は、内側リング６を内接リング７と中心リング８とで構成して、中心リング８を内接リング７よりも大きな外径として、外側リング５と内接リング７との近接部を溶着し、さらに内接リング７と中心リング８との近接部を溶着している。この形状のプレート３０は、中心リング８と内接リング７の外径比を変更することで、内接リング７の個数を調整してデザインを変更できる。
【００３９】
図１６のプレート３０は、内側リング６を外径の大きい大リング６Ａと小リング６Ｂとで構成し、大リング６Ａを外側リング５の内側にバランスよく固定して、大リング６Ａの間に放射状に小リング６Ｂを並べて固定している。このプレート３０は、大リング６Ａの間に小リング６Ｂを放射状に配置して、大リング６Ａを外側リング５の内面に近接部で溶着し、さらに、放射状の小リング６Ｂを近接部で溶着すると共に、大リング６Ａとの近接部も溶着している。この形状のプレート３０は、大リング６Ａの間に多数の小リング６Ｂを溶着して、曲げ強度を強くできる。
【００４０】
図１７のプレート３０も、内側リング６を４個の大リング６Ａと５個の小リング６Ｂとで構成して、小リング６Ｂを、外側リング５と大リング６Ａで囲まれる領域と、大リング６Ａで囲まれる領域に配置して、外側リング５と大リング６Ａとの近接部と、隣接する大リング６Ａの近接部と、大リング６Ａと小リング６Ｂとの近接部とを局部的に溶着している。このプレート３０は、大リング６Ａと小リング６Ｂとをバランスよく配置して、曲げ強度を強くできる。
【００４１】
図１８のプレート３０は、内側リング６を３個の大リング６Ａと４個の小リング６Ｂとで構成して、小リング６Ｂを、外側リング５と大リング６Ａで囲まれる領域と、大リング６Ａで囲まれる領域に配置して、外側リング５と大リング６Ａとの近接部と、隣接する大リング６Ａの近接部と、大リング６Ａと小リング６Ｂとの近接部とを局部的に溶着している。このプレート３０は、大リング６Ａと小リング６Ｂとをバランスよく配置して、曲げ強度を強くできる。
【００４２】
図１９のプレート３０は、内側リング６を、外側リング５の内側に沿う形状の環状リング６Ｃと、環状リング６Ｃと外側リング５との間に配置している複数の隙間リング６Ｄと、環状リング６Ｃの内側に配置している複数のインナーリング６Ｅ、６Ｆとで構成している。隙間リング６Ｄは外側リング５と環状リング６Ｃとの間にあって、外側リング５と環状リング６Ｃに溶着され、インナーリング６Ｅは環状リング６Ｃの内側に等間隔のリング状に配置されて環状リング６Ｃの内側に溶着され、さらに、中央部にもインナーリング６Ｆを配置して、その周囲に配置しているインナーリング６Ｅに溶着している。このプレート３０は、外側リング５の内側に環状リング６Ｃを配置して独特のデザインとしながら、環状リング６Ｃを介してインナーリング６Ｅ、６Ｆと隙間リング６Ｄとを連結して曲げ強度を強くできる。
【００４３】
図２０のプレート３０は、内側リング６を、外側リング５の内側に沿う形状の２個の環状リング６Ｃ、６Ｇと、環状リング６Ｃと外側リング５との間、及び環状リング６Ｃ、６Ｇの間に配置している複数の隙間リング６Ｄとで構成している。２個の環状リング６Ｃ、６Ｇは同心位置に配置されて、同じ外径の隙間リング６Ｄを、外側リング５と環状リング６Ｃとの間と、環状リング６Ｃ、６Ｇ間とに配置できる外径としている。このプレート３０は、外側に環状に配置される隙間リング６Ｄを外側リング５と環状リング６Ｃとに溶着し、内側に環状に配置される隙間リング６Ｄを環状リング６Ｃ、６Ｇに溶着している。このプレート３０も、隙間リング６Ｄを環状リング６Ｃ、６Ｇで連結して曲げ強度を強くできる。
【００４４】
図２１のプレート３０は、内側リング６を内接リング７と中心リング８とで構成して、内接リング７と中心リング８とを連結ロッド３１で連結している。内接リング７は外側リング５に溶着され、連結ロッド３１は中心リング８と内接リング７とに端部を溶着して、内接リング７を中心リング８に連結している。このプレート３０は、連結ロッド３１で内接リング７と中心リング８とを連結するので、中心リング８と内接リング７の外径を自由に設計して、連結ロッド３１で連結できる。
【００４５】
図２２のプレート３０は、内側リング６を、２重の環状に配置された複数の隙間リング６Ｄ及びインナーリング６Ｅと、外側の隙間リング６Ｄと内側のインナーリング６Ｅとの間に設けた環状リング６Ｃとで構成している。外側に環状に配置される隙間リング６Ｄは外側リング５の内面と環状リング６Ｃとに溶着され、内側に環状に配置されるインナーリング６Ｅは環状リング６Ｃの内側に溶着している。さらに、環状リング６Ｃの内側には、放射状ロッド３２を設けて、放射状ロッド３２の間にインナーリング６Ｅを配置している。
【００４６】
図２３のプレート３０は、内側リング６を、３重の環状に配置された多数の小リング６Ｂと、中心に配置された小リング６Ｂからなる中心リング８とで構成している。３重の環状に配置される小リング６Ｂは、外側リング５に沿う円形状であって、同心の円形状に配列されている。多数の小リング６Ｂからなる内側リング６は、外側リング５の内面に溶着され、さらに、隣接する小リング６Ｂ同士の接点において溶着される。このプレート３０は、多数の小リング６Ｂからなる内側リング６を複数の環状に配置することで、プレート全体の隙間を少なくしながら強度を強くできる。
【産業上の利用可能性】
【００４７】
本発明は、細い金属ロッドをリング状に加工し、これを溶着して種々の円形リングを組み合わせた独特のデザインの椅子とテーブルに有効に利用される。
【符号の説明】
【００４８】
１００…椅子
２００…テーブル
１…座部
２…脚部
３…背もたれ部
４…肘掛け部
５…外側リング
５ａ…円弧
５ｂ…曲線
６…内側リング
６Ａ…大リング
６Ｂ…小リング
６Ｃ…環状リング
６Ｄ…隙間リング
６Ｅ…インナーリング
６Ｆ…インナーリング
６Ｇ…環状リング
７…内接リング
８…中心リング
９…円形リング
１０…水平ロッド
１０ａ…貫通穴
１１…クロスロッド
１１ａ…雌ねじ孔
１２…連結パイプ
１２Ａ…第１の連結パイプ
１２Ｂ…第２の連結パイプ
１２Ｃ…第３の連結パイプ
１３…止ネジ
１４…ナット
１５…横バー
１６…第２の止ネジ
１７…中央パイプ
１７ａ…雌ねじ孔
１８…垂直パイプ
１９…第３の止ネジ
２０…天板部
３０…プレート
３１…連結ロッド
３２…放射状ロッド
【図１】
2019126666.tif 000003
【図２】
2019126666.tif 000004
【図３】
2019126666.tif 000005
【図４】
2019126666.tif 000006
【図５】
2019126666.tif 000007
【図６】
2019126666.tif 000008
【図７】
2019126666.tif 000009
【図８】
2019126666.tif 000010
【図９】
2019126666.tif 000011
【図１０】
2019126666.tif 000012
【図１１】
2019126666.tif 000013
【図１２】
2019126666.tif 000014
【図１３】
2019126666.tif 000015
【図１４】
2019126666.tif 000016
【図１５】
2019126666.tif 000017
【図１６】
2019126666.tif 000018
【図１７】
2019126666.tif 000019
【図１８】
2019126666.tif 000020
【図１９】
2019126666.tif 000021
【図２０】
2019126666.tif 000022
【図２１】
2019126666.tif 000023
【図２２】
2019126666.tif 000024
【図２３】
2019126666.tif 000025